(57)【要約】【課題】  印刷物の退色防止効果を比較的簡単に得ることができる。【解決手段】  印刷制御装置では、ユーザによって選択されプレビューがプレビュー画面７１に表示されている画像データから、該画像データの印刷物をユーザが実際に印刷物を掲示しようとする掲示条件下で掲示したとすると退色する可能性のある退色懸念箇所７２を抽出し、該抽出した退色懸念箇所７２につき現在の色を退色しにくい色に変換する。この色変換の際、ユーザは色候補メニュー７３から色候補を選択することができるため、色変換時に自分の好みを反映させることができる。【選択図】        図５
2006256107.tif 000002
【特許請求の範囲】
【請求項１】
印刷装置を制御する印刷制御装置であって、
ユーザによって選択された一つの画像データから該画像データを前記印刷装置で印刷した印刷物を所定の掲示条件下で掲示したとすると退色することが懸念される退色懸念箇所を抽出する退色懸念箇所抽出手段と、
該退色懸念箇所抽出手段によって抽出された前記退色懸念箇所につき現在の色を退色しにくい色に変換する色変換手段と、
を備えた印刷制御装置。
【請求項２】
前記所定の掲示条件はユーザによって入力されたものである、
請求項１に記載の印刷制御装置。
【請求項３】
前記所定の掲示条件は、少なくとも印刷物掲示箇所の環境と印刷物掲示時間とを含む、
請求項１又は２に記載の印刷制御装置。
【請求項４】
前記色変換手段は、前記画像データの各ドットの属性データに基づいて前記退色懸念箇所につき現在の色を退色しにくい色に変換するか否かを決定する、
請求項１〜３のいずれかに記載の印刷制御装置。
【請求項５】
前記印刷装置はインクジェットプリンタである、
請求項１〜４のいずれかに記載の印刷制御装置。
【請求項６】
請求項１〜５のいずれかに記載の印刷制御装置であって、
前記印刷装置に使用される着色剤の退色に関するデータを記憶する退色データ記憶手段を備え、
前記退色懸念箇所抽出手段は、前記退色データ記憶手段に記憶されたデータに基づいて前記画像データの中から前記退色懸念箇所を抽出する、
印刷制御装置。
【請求項７】
請求項１〜６のいずれかに記載の印刷制御装置であって、
前記退色懸念箇所抽出手段によって抽出された前記退色懸念箇所につき現在の色よりも退色しにくい色をユーザが選択可能な状態で提示する色提示手段を備え、
前記色変換手段は、前記色提示手段によって提示された色をユーザが選択したとき前記退色懸念箇所につき現在の色を該選択された色に変換する、
印刷制御装置。
【請求項８】
前記色提示手段は、前記退色懸念箇所の現在の色と近似する色であるが退色しにくい色、前記退色懸念箇所の現在の色と色相が反対の色であって退色しにくい色、前記退色懸念箇所の周囲の色と近似する色であって退色しにくい色、及び前記退色懸念箇所の周囲の色と色相が反対の色であって退色しにくい色の少なくとも一つを提示する、
請求項７に記載の印刷制御装置。
【請求項９】
印刷装置を制御する、コンピュータソフトウェアによる印刷制御方法であって、
（ａ）ユーザによって選択された一つの画像データから該画像データを前記印刷装置で印刷した印刷物を所定の掲示条件下で掲示したとすると退色することが懸念される退色懸念箇所を抽出するステップと、
（ｂ）前記ステップ（ａ）で抽出された前記退色懸念箇所につき現在の色を退色しにくい色に変換するステップと、
を含む印刷制御方法。
【請求項１０】
請求項９に記載の印刷制御方法の各ステップを１又は複数のコンピュータに実行させるためのコンピュータプログラム。
【発明の詳細な説明】
【技術分野】
【０００１】
本発明は、印刷制御装置、印刷制御方法及びコンピュータプログラムに関する。
【背景技術】
【０００２】
近年、インクジェットプリンタによる画像処理技術は、印字するインクの小液滴化やへッド走査、記録紙搬送の高精度化により、画素の尖鋭性や粒状性を向上させ、写真程度の画質に近づける努力がなされている。例えば、写真印画紙に使用されるレジンコート紙にインク吸収層を設けた専用紙を用いて染料インクで画像を記録することにより、銀塩写真に匹敵する画質を得ることができるようになっている。しかし、染料インクで画像を記録すると写真の重要な機能である画像の保存性が劣り退色してしまうことがある。そこで、退色を防止するために、表層に熱可塑性樹脂を含有した記録用紙を用いて、インク噴射後に加熱し加圧することで写像性値を向上させる技術が提案されている（例えば特許文献１）。
【特許文献１】特開２００３−１９１４６８
【発明の開示】
【発明が解決しようとする課題】
【０００３】
しかしながら、このような特殊な記録用紙を用いた場合には退色を防止することができるものの、特殊な記録用紙以外であっても比較的簡単に退色防止効果を得たいという要望があった。また、退色の問題はインクジェットプリンタのみならず他の方式のプリンタ、例えば電子写真方式を採用したレーザプリンタでも発生することがある。
【０００４】
本発明は、このような課題に鑑みなされたものであり、印刷物の退色防止効果を比較的簡単に得ることができる印刷制御装置、印刷制御方法及びコンピュータプログラムを提供することを目的の一つとする。
【課題を解決するための手段】
【０００５】
本発明は、上述の目的を達成するために以下の手段を採った。
【０００６】
本発明の印刷制御装置は、
印刷装置を制御する印刷制御装置であって、
ユーザによって選択された一つの画像データから該画像データを前記印刷装置で印刷した印刷物を所定の掲示条件下で掲示したとすると退色することが懸念される退色懸念箇所を抽出する退色懸念箇所抽出手段と、
該退色懸念箇所抽出手段によって抽出された前記退色懸念箇所につき現在の色を退色しにくい色に変換する色変換手段と、
を備えたものである。
【０００７】
この印刷制御装置では、ユーザによって選択された一つの画像データから、該画像データの印刷物を所定の掲示条件下で掲示したとすると退色する可能性のある退色懸念箇所を抽出し、該抽出した退色懸念箇所につき現在の色を退色しにくい色に変換する。したがって、従来のように特殊な記録用紙を用いなくても、比較的簡単に印刷物の退色防止効果を得ることができる。但し、本発明は特殊な記録用紙を用いることを除外するものではない。
【０００８】
本発明の印刷制御装置において、前記所定の掲示条件はユーザによって入力されたものとしてもよい。こうすれば、ユーザが実際に印刷物を掲示する掲示条件下において退色することが懸念される箇所の色を退色しにくい色に変換することができる。
【０００９】
本発明の印刷制御装置において、前記所定の掲示条件は、少なくとも印刷物掲示箇所の屋根の有無と印刷物掲示時間を含むものとしてもよい。これら２つの掲示条件が退色に深く関連しているからである。なお、所定の掲示条件には、屋根の有無（つまり屋外か屋内か）や印刷物掲示時間のほかに、風防の有無や周囲の温度、湿度、ガス雰囲気などを適宜加えてもよい。
【００１０】
本発明の印刷制御装置において、前記色変換手段は、前記画像データの各ドットの属性データに基づいて前記退色懸念箇所につき現在の色を退色しにくい色に変換するか否かを決定してもよい。こうすれば、例えば属性データによっては現在の色が退色しやすくても別の色に変換することが相応しくないことがあるが、その場合には現在の色のままにしておくことができるため違和感が生じにくい。ここで、属性データとしては、例えば、フォント、自然画（人物や風景など）、ベタ、アウトラインなどが挙げられる。
【００１１】
本発明の印刷制御装置において、前記印刷装置はインクジェットプリンタであってもよい。一般にインクジェットプリンタで印刷した印刷物は、電子写真方式で印刷した印刷物と比べて退色しやすい傾向にあるため、本発明を適用する意義が高い。
【００１２】
本発明の印刷制御装置は、前記印刷装置に使用される着色剤の退色に関するデータを記憶する退色データ記憶手段を備え、前記退色懸念箇所抽出手段は、前記退色データ記憶手段に記憶されたデータに基づいて前記画像データの中から前記退色懸念箇所を抽出してもよい。こうすれば、印刷物の退色性と密接に関連する着色剤の退色性を考慮して退色懸念箇所を抽出するため、より適切に退色懸念箇所を抽出することができる。
【００１３】
本発明の印刷制御装置は、前記退色懸念箇所抽出手段によって抽出された前記退色懸念箇所につき現在の色よりも退色しにくい色をユーザが選択可能な状態で提示する色提示手段を備え、前記色変換手段は、前記色提示手段によって提示された色をユーザが選択したとき前記退色懸念箇所につき現在の色を該選択された色に変換してもよい。こうすれば、退色懸念箇所の現在の色を退色しにくい色に変換する際にユーザが自分の好みを反映させることができる。
【００１４】
このように色提示手段を備えた本発明の印刷制御装置において、該色提示手段は、前記退色懸念箇所の現在の色と近似する色であるが退色しにくい色、前記退色懸念箇所の現在の色と色相が反対の色であって退色しにくい色、前記退色懸念箇所の周囲の色と近似する色であって退色しにくい色、及び前記退色懸念箇所の周囲の色と色相が反対の色であって退色しにくい色の少なくとも一つを提示してもよい。
【００１５】
本発明の印刷制御方法は、
印刷装置を制御するコンピュータソフトウェアによる印刷制御方法であって、
（ａ）ユーザによって選択された一つの画像データから該画像データを前記印刷装置で印刷した印刷物を所定の掲示条件下で掲示したとすると退色することが懸念される退色懸念箇所を抽出するステップと、
（ｂ）前記ステップ（ａ）で抽出された前記退色懸念箇所につき現在の色を退色しにくい色に変換するステップと、
を含むものである。
【００１６】
この印刷制御方法では、ユーザによって選択された一つの画像データから、該画像データの印刷物を所定の掲示条件で掲示したとすると退色する可能性のある退色懸念箇所を抽出し、該抽出した退色懸念箇所につき現在の色を退色しにくい色に変換する。したがって、従来のように特殊な記録用紙を用いなくても、比較的簡単に印刷物の退色防止効果を得ることができる。なお、この印刷制御方法において、上述したいずれかの印刷制御装置の機能を実現するステップを追加してもよい。
【００１７】
本発明のコンピュータプログラムは、上述した印刷制御方法の各ステップを１又は複数のコンピュータに実行させるためのコンピュータプログラムである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した本発明の印刷制御方法の効果を得ることができる。
【発明を実施するための最良の形態】
【００１８】
次に、本発明の実施の形態を図面に基づいて説明する。図１は本実施形態の印刷制御装置１０の概略構成を表すブロック図である。
【００１９】
印刷制御装置１０は、インクジェットプリンタ２０を制御するパーソナルコンピュータとして構成されている。この印刷制御装置１０は、ＣＰＵ１１を中心とするマイクロプロセッサとして構成されており、各種制御プログラムを記憶するＲＯＭ１２と、データを一時的に記憶するＲＡＭ１３と、プリンタドライバなどの各種アプリケーションソフトウェアのほか各種データを記憶するハードディスク１４と、図示しない入出力ポートおよび通信ポートとを備えている。また、印刷制御装置１０には、ユーザからの情報を入力するキーボード１５及びマウス１６や、各種情報を画面上に表示するディスプレイ１７、印刷媒体３９に印刷を行うインクジェットプリンタ２０などが図示しない入出力ポートに接続されている。
【００２０】
インクジェットプリンタ２０は、駆動輪２６と従動輪２７との間に架け渡されたタイミングベルト２８によりガイド２９に沿って左右に往復動するキャリッジ２１と、キャリッジ２１上に保持されたモノクロ用カートリッジ３０及びカラー用カートリッジ３４と、キャリッジ２１の下方にて各カートリッジ３０，３４から供給されるインクを印刷媒体３９に向けて吐出する印刷ヘッド３８と、印刷媒体３９を印刷ヘッド３８の後方から前方へ送り込む送り機構４０と、印刷制御装置１０から入力される印刷情報の印刷媒体３９への印刷を制御するコントローラ４２とを備えている。コントローラ４２は、図示しない周知のＣＰＵ、ＲＯＭ、ＲＡＭなどを備えて構成され、印刷制御装置１０から入力される印刷情報をドットパターンデータに展開し、そのドットパターンデータに基づいてキャリッジ２１や印刷ヘッド３８や送り機構４０を駆動制御して印刷媒体３９に印刷を実行するものである。
【００２１】
次に、本実施形態の印刷制御装置１０の動作、特に印刷物の退色を防止する退色防止ルーチンについて図２のフローチャート、図３〜図５の表示画面説明図及び図６の色度図に基づいて説明する。
【００２２】
この退色防止ルーチンは、ユーザによる退色防止ボタンのオン操作に応じて開始される。すなわち、ユーザは、図３に示すように、複数の画像データのサムネイル５２，５４が並んで表示された画像選択画面５０上でキーボード１５又はマウス１６を操作して自分の好みのサムネイル５２を選択したあと、カーソルを退色防止ボタン５６に移動してマウス１６をクリックする。これにより、選択されたサムネイル５２の元の画像データがユーザによって選択されたことになり、印刷制御装置１０のＣＰＵ１１はハードディスク１４にインストールされているプリンタドライバの一機能としての退色防止ルーチン（図２参照）を開始する。
【００２３】
この退色防止ルーチンが開始されると、ＣＰＵ１１は、まず掲示条件入力画面６０をディスプレイ１７に表示する（ステップＳ１０２）。図４は掲示条件入力画面６０を示す説明図である。図４に示す掲示条件入力画面６０には、画像選択画面５０（図３参照）でユーザが選択した画像データのプレビューを表示するプレビュー画面６１と、その画像データを印刷した印刷物を掲示しようとする掲示条件を入力する掲示条件入力欄６２とが設けられている。また、掲示条件入力欄６２には、掲示場所が屋外か屋内かを選択する第１入力欄６２ａと、掲示場所の気温が常温（例えば５〜３５℃）か高温（例えば３５℃以上）かを選択する第２入力欄６２ｂと、その印刷物を継続して掲示する期間を選択する第３入力欄６２ｃと、次画面へ進む際に選択される「次へ」ボタン６３とが設けられている。掲示条件を入力するにあたって、ユーザはキーボード１５又はマウス１６を操作して、各入力欄６２ａ〜６２ｃのうち所望のラジオボタンをクリックする。
【００２４】
続いて、ＣＰＵ１１は、「次へ」ボタン６３がユーザによって選択されたか否かを判定し（ステップＳ１０４）、「次へ」ボタン６３が選択されていないときにはそのまま待機し、「次へ」ボタン６３が選択されたときには掲示条件入力欄６２がすべて入力されているか否かを判定する（ステップＳ１０６）。そして、掲示条件入力欄６２のいずれかが入力されていなかったときには、掲示条件入力欄６２をすべて入力するように促すメッセージ画面をディスプレイ１７に表示し（ステップＳ１０８）、再びステップＳ１０４に戻る。一方、ステップＳ１０６で掲示条件入力欄６２がすべて入力されていたときには、今回選択された画像データから退色懸念箇所を抽出する（ステップＳ１１０）。
【００２５】
ここで、画像データに含まれる各ドットは、色データとしてＲＧＢデータを有しているほか、そのドットがフォント、自然画（人物や風景等）、ベタパターン及びアウトラインのうちのいずれであるかを示す属性データを有している。本実施形態では、属性データがフォント、ベタパターン又はアウトラインのドットが退色懸念箇所となり得るものとし、自然画のドットは退色懸念箇所となり得ないものとして予め設定されているとする。このように設定されているのは、自然画を現在の色とは別の色に変換すると違和感が生じることが多いからである。さて、ＣＰＵ１１は、属性データがフォント、ベタパターン又はアウトラインであってＲＧＢデータが所定の色範囲に入るドットの集合（かたまり）を、一つの退色懸念箇所であると判定する。所定の色範囲は、印刷物の掲示条件に応じて異なっており、掲示期間が同じなら屋内・常温が最も退色しにくいため狭い範囲に設定され、屋内・高温、屋外・常温、屋外・高温の順にその範囲が広くなるように設定されている。具体的には、所定の色範囲を図６のように周知のＣＩＥｘｙ色度図で表したとき、屋内で常温の場合には一点鎖線で囲まれた範囲Ｒ１（黄色）、屋内で高温の場合には二点鎖線で囲まれた範囲Ｒ２（黄色＋オレンジ）、屋外で常温の場合には点線で囲まれた範囲Ｒ３（黄色＋オレンジ＋朱色）、屋外で高温のときには破線で囲まれた範囲Ｒ４（黄色＋オレンジ＋朱色＋赤）に設定される。また、掲示期間が長くなるほど各範囲Ｒ１〜Ｒ４は広くなるように設定される。
【００２６】
さて、ステップＳ１１０で今回選択された画像データから退色懸念箇所を抽出したあと、ＲＡＭ１３に設けられたカウンタｎをゼロにリセットし（ステップＳ１１２）、続いてカウンタｎを１インクリメントし（ステップＳ１１４）、第ｎ番目の退色懸念箇所を点線で囲んでディスプレイ１７に表示すると共に色候補メニューも併せて表示する（ステップＳ１１６）。このときの様子を図５に示す。図５は、ディスプレイ１７に表示される退色懸念箇所処理画面７０の説明図であり、この退色懸念箇所処理画面７０には、画像選択画面５０（図３参照）でユーザが選択した画像データのプレビューを表示するプレビュー画面７１と、処理対象となる退色懸念箇所を点線で囲んで表示する退色懸念箇所表示枠７２と、その退色懸念箇所表示枠７２で囲まれた箇所の色を変換する際の候補を表示する色候補メニュー７３とが表示される。ここでは、退色懸念箇所は２つ存在するものとし、第１番目の退色懸念箇所を「いぞがばまわれ」の文字列、第２番目の退色懸念箇所を「注意一秒ケガ一生」の文字列とする。
【００２７】
いま、ステップＳ１１０で退色懸念箇所を抽出した直後にステップＳ１１２，Ｓ１１４の処理を行うとすると、ステップＳ１１６では第１番目の退色懸念箇所が退色懸念箇所表示枠７２で囲まれた状態で表示される（図５（ａ）参照）。また、色候補メニュー７３には、４つの色候補が表示される。このうち、第１の色候補７３ａは現在の色をそのまま採用するものであり、第２の候補７３ｂは現在の色と近似するが退色しにくい色に変換するものであり、第３の色候補７３ｃは現在の色と色相が反対で退色しにくい色に変換するものであり、第４の色候補７３ｄはユーザの指定する色に変換するものである。このうち、第２の色候補７３ｂについては、予め各色ごとにその色と近似する色で退色しにくい色を経験的に定めておきＨＤＤ１４に記憶されている。また、第３の色候補７３ｃについては、予め各色ごとにその色と周知の色相環（２０色の異なる色を環状に配置した図であり色合いの基本的な種別を表す）において環の中心を挟んで反対側の色又はその近傍の色であって退色しにくい色を経験的に定めておきＨＤＤ１４に記憶されている。更に、第４の色候補７３ｄが選択されると、色パレットが表示され、ユーザは色パレット中のいずれかの色を選択することができる。
【００２８】
その後、色候補メニュー７３の中からいずれかの色候補が選択されたか否かを判定し（ステップＳ１１８）、色候補が選択されていないときにはそのまま待機する。一方、ステップＳ１１８で色候補メニュー７３の中からいずれかの色候補が選択されたときには、プレビュー画面７１に表示されたプレビューのうち処理対象となった退色懸念箇所の色を選択された色候補の色に変換する（ステップＳ１２０）。ただし、色候補メニュー７３の中から第１の色候補７３ａが選択されたときには、現在の色のままとし色の変換は行われない。このステップＳ１１８でユーザが色候補メニュー７３の中から第１色候補７３ａを選択した場合には、現在の色がそのまま採用されることから現在の色を別の色に変更するのを禁じているとみることができ、第２色候補７３ｂから第４色候補７３ｄを選択した場合には、現在の色を別の色に変更するのを許容しているとみることができる。
【００２９】
ステップＳ１２０のあと、ＣＰＵ１１は未処理の退色懸念箇所が残っているか否かを判定する（ステップＳ１２２）。いま、ステップＳ１２０で第１番目の退色懸念箇所である「いそがばまわれ」の色の変換がなされた直後とすると、まだ第２番目の退色懸念箇所である「注意一秒ケガ一生」の処理が行われていないため、ステップＳ１２２で肯定的な判定がなされ、ステップＳ１１４でカウンタｎが１インクリメントされて値２とされ、第２番目の退色懸念箇所である「注意一秒ケガ一生」が退色懸念箇所表示枠７２で囲まれると共に色候補メニュー７３が表示され（図５（ｂ）参照）、先ほどと同様、色候補メニュー７３の中からいずれかの色候補が選択されるのを待って色の変換を行う（ステップＳ１１６〜Ｓ１２０）。そして、ステップＳ１２２で未処理の退色懸念箇所がないと判定されると、退色防止ルーチンの完了又は再実行の指示を行う指示画面７４をディスプレイ１７に表示する（ステップＳ１２４，図５（ｃ）参照）。この指示画面７４には、処理完了ボタン７４ａと処理再実行ボタン７４ｂが表示され、ユーザは今回の色変換の結果に満足しているときには処理完了ボタン７４ａをマウス１６でクリックし、今回の色変換の結果に満足していないときには処理再実行ボタン７４ｂをマウス１６でクリックする。ステップＳ１２４のあと、ＣＰＵ１１はユーザが処理完了ボタン７４ａを選択したか処理再実行ボタン７４ｂを選択したかを判定し（ステップＳ１２６）、ユーザが処理再実行ボタン７４ｂを選択したときには、再度初めから退色懸念箇所の色変換をやり直すためにステップＳ１１２に戻りカウンタｎの値をゼロにリセットしたあとステップＳ１１４以降の処理を行う。一方、ユーザが処理完了ボタン７４ａを選択したときには、本ルーチンを終了する。
【００３０】
なお、本ルーチンの終了後、ユーザによって別途印刷の指示がなされたときには、今回色変換したあとの画像データに基づいてインクジェットプリンタ２０で印刷が行われる。但し、指示画面７４の処理完了ボタン７４ａの代わりに印刷実行ボタンを設けておき、この印刷実行ボタンが選択されたときに今回色変換したあとの画像データに基づいてインクジェットプリンタ２０で印刷が行われるようにしてもよい。
【００３１】
ここで、本実施形態の構成要素と本発明の構成要素との対応関係を明らかにする。本実施形態のＣＰＵ１１が本発明の退色懸念箇所抽出手段、色変換手段及び色提示手段に相当する。なお、本実施形態では、印刷制御装置１０の動作を説明することにより本発明の印刷制御方法の一例も明らかにしている。
【００３２】
以上詳述した本実施形態の印刷制御装置１０によれば、ユーザによって選択された一つの画像データから、該画像データの印刷物をユーザが実際に印刷物を掲示しようとする掲示条件下で掲示したとすると退色する可能性のある退色懸念箇所を抽出し、該抽出した退色懸念箇所につき現在の色を退色しにくい色に変換する。したがって、従来のように特殊な記録用紙を用いなくても、比較的簡単に印刷物の退色防止効果を得ることができる。
【００３３】
また、画像データの各ドットに含まれる属性データが自然画を表す場合のように現在の色が退色しやすくても別の色に変換することが相応しくない場合には、色変換しないようにしているため、色変換後に違和感が生じにくい。
【００３４】
更に、退色懸念箇所の現在の色を退色しにくい色に変換する際、ユーザは色候補メニュー７３から色候補を選択することができるため、色変換時に自分の好みを反映させることができる。
【００３５】
なお、本発明は上述した実施形態に何ら限定されることはなく、本発明の技術的範囲に属する限り種々の態様で実施し得ることはいうまでもない。
【００３６】
例えば、上述した実施形態では、掲示条件としてユーザは屋外か屋内の選択と周囲の温度が常温か高温かの選択をするようにしたが、そのほかに屋外であっても風防の有無を選択したり掲示場所の周囲の湿度やガス雰囲気などを選択したりしてもよい。あるいは、上述した実施形態では、掲示条件をユーザが設定するものとしたが、掲示条件を予め固定された条件（例えば屋外で常温）としてもよい。
【００３７】
また、上述した実施形態では、画像データをインクジェットプリンタ２０で印刷したときの印刷物につき退色懸念箇所を抽出するようにしたが、特にインクジェットプリンタ２０に限定されるものではなく、電子写真方式のカラーレーザプリンタなどで印刷したときの印刷物につき退色懸念箇所を抽出するようにしてもよい。但し、一般にインクジェットプリンタで印刷した印刷物は、電子写真方式で印刷した印刷物と比べて退色しやすい傾向にあるため、本発明を適用する意義が高い。
【００３８】
更に、上述した実施形態において、インクジェットプリンタ２０は染料インクであっても退色防止成分を含有する場合と含有しない場合とでは退色の程度が異なることから、予め印刷制御装置１０のＲＯＭ１２に退色防止成分を含有するインクの退色に関するデータと退色防止成分を含有しないインクの退色に関するデータとを記憶しておき、インクジェットプリンタ２０に実装されているインクに応じてどちらかのデータをＲＯＭ１２から読み出し該読み出したデータに基づいて退色懸念箇所を抽出するようにしてもよい。こうすれば、印刷物の退色性と密接に関連するインクの退色性を考慮して退色懸念箇所を抽出するため、より適切に退色懸念箇所を抽出することができる。なお、この場合、ＲＯＭ１２が退色データ記憶手段に相当する。
【００３９】
更にまた、上述した実施形態において、インクジェットプリンタ２０であっても、顔料インクと染料インクとでは退色の程度が異なることから、インクの種類が顔料インクか染料インクかを加味して退色懸念箇所の抽出を行うようにしてもよい。
【００４０】
そしてまた、上述した実施形態では色候補メニュー７３として第１色候補７３ａから第４色候補７３ｄを提示したが、これに代えて又はこれに加えて、退色懸念箇所の周囲の色と近似する色であって退色しにくい色を色候補として提示したり、退色懸念箇所の周囲の色と色相が反対の色であって退色しにくい色を色候補として提示したりしてもよい。あるいは、色候補として、文字表示ではなく色（カラーイメージ）を表示するようにしてもよい。
【００４１】
そして更に、上述した実施形態では、ＣＰＵ１１が属性データに基づいて退色懸念箇所として抽出するか否かを判定するようにしたが、ユーザがプレビュー画面上で予め色変換を許容する範囲や色変換を禁止する範囲を指定できるようにしておき、ＣＰＵ１１は予め色変換の許容されている範囲のみを対象として退色懸念箇所の抽出を行うようにしてもよい。
【図面の簡単な説明】
【００４２】
【図１】本実施形態の印刷制御装置１０の概略構成を表すブロック図。
【図２】退色防止ルーチンのフローチャート。
【図３】画像選択画面５０の説明図。
【図４】掲示条件入力画面６０の説明図。
【図５】退色懸念箇所処理画面７０の説明図。
【図６】掲示条件に応じて決まる色範囲Ｒ１〜Ｒ４を示すＣＩＥｘｙ色度図。
【符号の説明】
【００４３】
１０  印刷制御装置、１１  ＣＰＵ、１２  ＲＯＭ、１３  ＲＡＭ、１４  ハードディスク、１４  ハードディスク、１５  キーボード、１６  マウス、１７  ディスプレイ、２０  インクジェットプリンタ、２１  キャリッジ、２６  駆動輪、２７  従動輪、２８  タイミングベルト、２９  ガイド、３０  モノクロ用カートリッジ、３４  カラー用カートリッジ、３８  印刷ヘッド、３９  印刷媒体、４０  送り機構、４２  コントローラ、５０  画像選択画面、５２，５４  サムネイル、５６  退色防止ボタン、６０  掲示条件入力画面、６１  プレビュー画面、６２  掲示条件入力欄、６２ａ〜６２ｃ  入力欄、６３  「次へ」ボタン、７０  退色懸念箇所処理画面、７１  プレビュー画面、７２  退色懸念箇所表示枠、７３  色候補メニュー、７３ａ〜７３ｄ  第１〜第４色候補、７４  指示画面、７４ａ  処理完了ボタン、７４ｂ  処理再実行ボタン、Ｒ１〜Ｒ４  色範囲。
【図１】
2006256107.tif 000003
【図２】
2006256107.tif 000004
【図６】
2006256107.tif 000005
【図３】
2006256107.tif 000006
【図４】
2006256107.tif 000007
【図５】
2006256107.tif 000008